(57)【要約】【課題】  連結時には、連結状態が保持され不用意に外れることなく、しかも連結及び取り外し操作が容易な、装身具用の止め具を提供すること。【解決手段】  第１連結体１の挿入凹部７の内周面には複数の螺旋状凸部８を設けるとともに、各螺旋状凸部８は、挿入凹部７の底面７ａと相まって抜け止め凹部７ｃを構成する抜け止め面８ｃと、隣接する抜け止め凹部７ｃに向かって連続するガイド面８ａとを備え、第２連結体２の挿入部１０は、その外周に、ガイド面８ａに沿って移動して抜け止め凹部７ｃ内に進入可能な抜け止め凸部１１を備える。抜け止め面８ｃは、挿入凹部の軸線にほぼ直交する平面からなるとともに、抜け止め凸部１１の挿入方向後端には、抜け止め凹部内７で抜け止め面８ｃと正対する平面からなる係止面１１ｂを備えた。【選択図】  図６
2014023565.tif 000002
【特許請求の範囲】
【請求項１】
第１、第２連結体からなり、
上記第1、第２連結体の少なくともいずれか一方に永久磁石を設け、いずれか他方には永久磁石あるいは磁性部材を設けるとともに、
上記第１連結体には、上記永久磁石あるいは磁性部材を底面に設けた挿入凹部を備え、
第２連結体には、上記挿入凹部に挿入可能で、その先端に上記永久磁石あるいは磁性部材を設けた挿入部を備え、
上記挿入部を上記挿入凹部に挿入した連結状態において、上記第1、第２連結体間に上記永久磁石の磁力による吸引力が作用する構成にした装身具用の止め具であって、
上記第１連結体の挿入凹部の内周面には複数の螺旋状凸部を設けるとともに、
上記各螺旋状凸部は、
上記挿入凹部の底面に対向し、上記底面と相まって抜け止め凹部を構成する抜け止め面と、
上記挿入凹部の開口から隣接する螺旋状凸部で構成される上記抜け止め凹部に向かって連続するガイド面とを備え、
上記第２連結体の挿入部は、
その外周に、上記螺旋状凸部のガイド面に沿って移動し、上記抜け止め凹部内に進入可能な抜け止め凸部を備え、
上記螺旋状凸部に設けた抜け止め面は、上記挿入部の挿入方向である挿入凹部の軸線にほぼ直交する平面からなるとともに、
上記挿入部に設けた抜け止め凸部は、上記挿入凹部への挿入方向後端に、上記抜け止め凹部内において上記抜け止め面と正対する平面からなる係止面を備えた
ことを特徴とする装身具用の止め具。
【請求項２】
上記抜け止め凸は、
上記挿入凹部への挿入方向先端を曲面としたことを特徴とする請求項１に記載の装身具用の止め具。
【請求項３】
上記抜け止め凸部の挿入方向の寸法と、上記挿入部の挿入方向における上記抜け止め凹部の長さとほぼ等しくしたことを特徴とする請求項１又は２に記載の装身具用の止め具。
【請求項４】
上記螺旋状凸部は、上記ガイド面であって上記第２連結体の挿入方向後端に、断面形状を鋭角にしたピーク部を備えたことを特徴とする請求項１〜３のいずれか１に記載の装身具用の止め具。
【請求項５】
上記螺旋状凸部及び抜け止め凸部の数は、それぞれ３であることを特徴とする請求項１〜４のいずれか１に記載の装身具用の止め具。
【発明の詳細な説明】
【技術分野】
【０００１】
この発明は、ネックレスやブレスレットなどに用いる装身具用の止め具に関する。
【背景技術】
【０００２】
装身具用の止め具で、磁力を利用したものがある。例えば、ネックレスやブレスレットの一端に取り付けた連結体に、永久磁石を備えるとともに、他方に取り付けた連結体には永久磁石あるいは磁性体を備え、両者が磁力によって接合するようにしている。このように、磁力によって結合する止め金具は、ネックレスを付けるときには、接合面を一致させるだけでよいため、引き輪のように、バネ力に抗してリング部材を動かすなどの細かな作業が不要である。そのため、首の後ろに手を回してネックレスを連結したり、片手でブレスレットを連結したりする作業が簡単にできる。
【０００３】
但し、上記のように磁力の吸引力だけで、両連結体を連結するものは、磁力を強くすればするほど、欠同状態の止め具が外れにくくなるが、その分、外す際に大きな引っ張り力が必要であるという問題がある。
そこで、磁力をそれほど強くしなくても、引張り力が作用したときに簡単に外れてしまわないように、連結体の形状が様々に工夫されたものがある。
【０００４】
例えば、特許文献１に示す止め具は、一方の連結体に形成した挿入凹部内に他方の連結体の挿入部を挿入して両連結体を結合するものであるが、上記挿入凹部内周には円周に沿った線状の抜け止め溝を形成し、他方の連結体の挿入部外周には、断面形状が円形の突起を設けている。そして、この突起を上記抜け止め溝に挿入することによって連結を完了するようにしている。
また、上記挿入凹部内周には、その開口側から上記突起を抜け止め溝へ導くため、抜け止め溝と方向の異なる線状の導入溝を設けている。
【先行技術文献】
【特許文献】
【０００５】
【特許文献１】特開２００２−１２５７３０号公報
【発明の概要】
【発明が解決しようとする課題】
【０００６】
上記従来の止め具において、導入溝が挿入凹部の軸線に平行な線状溝の場合には、連結体を結合する際に、上記突起を導入溝に挿入し、その底面まで押し込む動作と、その後、両連結体を相対回転させて上記突起を抜け止め溝内に押し込む動作とが必要である。反対に、連結を解除する際には、回転動作の後に引っ張り動作が必要になる。
また、導入溝が挿入凹部の軸線に対して傾いている場合で、この導入溝と抜け止め溝との作る角度が鋭角の場合（特許文献１（図３）参照）には、上記突起を導入溝内に挿入するときと、抜け止め溝内に押し込むときとでは、回転方向が反対になる。つまり、連結時や取り外し時のいずれにも、連結体の回転方向を途中で反対にしなければならない。
このように、二段階の動作が必要で、連結、取り外し操作が面倒である。
【０００７】
一方、上記導入溝の傾きと、抜け止め溝の傾きとを同方向として、一方向の回転によって導入溝から抜け止め溝に上記突起を導くことも考えられる。しかし、このように導入溝と抜け止め溝とを同一回転方向に沿って連続させた場合、両線状溝はその接続部分において鈍角を形成することになる。このように、抜け止め溝と導入溝との接続部分が鈍角の場合には、上記突起が、回転によって僅かに移動しただけで抜け止め溝から導入溝へ移動しやすく、その結果止め具が簡単に外れてしまうことになる。
これに対し、抜け止め溝の開口付近に抜け止め凸部を形成したり、抜け止め溝を長くしたりすることによって上記突起が抜け止め溝から簡単に外れないようにすることも行われているが、これでは連結及び取り外し操作に手間がかかってしまう。
【０００８】
この発明の目的は、連結時には連結状態が保持され、不用意に外れることなく、しかも連結及び取り外し操作が容易な、装身具用の止め具を提供することである。
【課題を解決するための手段】
【０００９】
この発明は、第１、第２連結体からなり、上記第1、第２連結体の少なくともいずれか一方に永久磁石を設け、いずれか他方には永久磁石あるいは磁性部材を設けるとともに、上記第１連結体には、上記永久磁石あるいは磁性部材を底面に設けた挿入凹部を備え、第２連結体には、上記挿入凹部に挿入可能で、その先端に上記永久磁石あるいは磁性部材を設けた挿入部を備え、上記挿入部を上記挿入凹部に挿入した連結状態において、上記第1、第２連結体間に上記永久磁石の磁力による吸引力が作用する構成を備えた装身具用の止め具を前提とする。
【００１０】
第１の発明は、上記止め具を前提とし、上記第１連結体の挿入凹部の内周面には複数の螺旋状凸部を設けるとともに、上記各螺旋状凸部は、上記挿入凹部の底面に対向し、上記底面と相まって抜け止め凹部を構成する抜け止め面と、上記挿入凹部の開口から隣接する螺旋状凸部で構成される上記抜け止め凹部に向かって連続するガイド面とを備え、上記第２連結体の挿入部は、その外周に、上記螺旋状凸部のガイド面に沿って移動し、上記抜け止め凹部内に進入可能な抜け止め凸部を備え、上記螺旋状凸部に設けた抜け止め面は、上記挿入部の挿入方向である挿入凹部の軸線にほぼ直交する平面からなるとともに、上記挿入部に設けた抜け止め凸部は、上記挿入凹部への挿入方向後端に、上記抜け止め凹部内において上記抜け止め面と正対する平面からなる係止面を備えたことを特徴とする。
【００１１】
第２の発明は、上記抜け止め凸が上記挿入凹部への挿入方向先端を曲面としたことを特徴とする。
【００１２】
第３の発明は、上記抜け止め凸部の挿入方向の寸法と、上記挿入部の挿入方向における上記抜け止め凹部の長さとほぼ等しくしたことを特徴とする。
【００１３】
第４の発明は、上記螺旋状凸部は、上記ガイド面であって上記第２連結体の挿入方向後端に、断面形状を鋭角にしたピーク部を備えたことを特徴とする。
【００１４】
第５の発明は、上記螺旋状凸部及び抜け止め凸部の数は、それぞれ３であることを特徴とする。
【発明の効果】
【００１５】
この発明によれば、第１、第２連結体を一定の方向に相対回転させることによって両者を簡単に連結できる。両連結体の挿入部と挿入凹部とが近づけば、永久磁石による引力によって互いが引き寄せられ、挿入部の抜け止め凸部がガイド面に沿って抜け止め凹部内に導かれる。
そして、上記抜け止め凸部は、抜け止め凹部内に位置すると、係合面と抜け止め面とが正対するので、軸方向の引張り力が作用したときには、上記係合面が抜け止め面に当接して軸方向の移動を阻止する。しかも、上記抜け止め面は挿入凹部の軸方向にほぼ直交する平面からなるため、軸方向の引張り力から回転方向の分力が発生することはなく、上記係合面、すなわち抜け止め凸部が回転して抜け止め凹部から脱出することはない。
【００１６】
また、連結を解除する場合には、抜け止め凸部を少し回転させ、上記係合面が抜け止め面から外れれば、抜け止め凸部がガイド面に沿って挿入凹部の出口側へ移動し、簡単に外すことができる。
従って、この発明の装身具用の止め具は、磁力と螺旋状凸部のガイド面とによって簡単に連結ができるとともに、取り外すときにも、上記ガイド面の作用で、両連結体を簡単に外すことができる。
また、連結時には軸方向の引張り力が作用しても、第１、第２連結体が容易に外れてしまうことはない。
【００１７】
第２の発明では、抜け止め凸部の先端を曲面としたので、連結作業時にガイド面に対して抜け止め凸部の先端が滑りやすく、抜け止め凸部は、磁力の吸引力によってよりスムーズに抜け止め凹部内に導かれる。
【００１８】
第３の発明によれば、抜け止め凸部が抜け止め凹部内でガタつくことがない。そのため、連結状態をより確実に維持でき、連結体が不用意に外れてしまうことを防止できる。
【００１９】
第４の発明によれば、第１，第２連結体を連結する際に、挿入部の抜け止め凸部が螺旋状凸部のガイド面に導かれやすく、スムーズに連結ができる。
【００２０】
第５の発明によれば、挿入凹部内に螺旋状凸部によって３条ネジが形成されることになり、１条ネジあるいは２条ネジと比べて小さな回転量で軸方向の移動量を大きくできる。この発明によれば僅かに回転させるだけで軸方向の移動量を大きくできるので、連結や取り外しが簡単にできる。
また、螺旋状凸部をさらに多くすると、挿入凹部内の加工が複雑になるとともに、重量も大きくなるので、螺旋状凸部の数は３個が適当である。
【図面の簡単な説明】
【００２１】
【図１】図１はこの発明の実施形態の外観斜視図である。
【図２】図２は実施形態の第１連結体の斜視図である。
【図３】図３は実施形態の第２連結体の斜視図である。
【図４】図４は実施形態の断面図である。
【図５】図５は実施形態の挿入凹部を展開した状態を示した模式図である。
【図６】図６は抜け止め凸部が抜け止め凹部に挿入される過程を説明するための模式図である。
【図７】図７は抜け止め凸部が、螺旋状凸部のピーク部に当接してから抜け止め凹部に挿入される過程を説明するための模式図である。
【発明を実施するための形態】
【００２２】
図１〜図７に示すこの発明の実施形態は、連結状態で楕円回転体となる第１連結体１と第２の連結体２とからなる装身具用の止め具である。両連結体１、２には、装身具を取り付けるための取り付けリング３，４が設けられている。これら取り付けリング３，４に、ネックレスなどの端部をそれぞれ取り付けて止め具として用いる。
【００２３】
第１連結体１は、図２及び図４に示すように、外周を半楕円回転体にした殻部材５内に中空の受け部材６を設けている。
この受け部材６は上記第２連結体２を挿入するための挿入凹部７を備え、その底面７ａに開口した円筒部７ｂ内に柱状の第１の永久磁石Ｍ１をはめ込んでいる。
また、上記殻部材５内には円筒状の磁石保持部５ａを備え、この磁石保持部５ａと上記円筒部７ｂとによって上記永久磁石Ｍ１を保持している。そして、上記殻部材５と受け部材６は溶着や圧入などで一体化されている。
なお、上記楕円回転体の長軸の方向が、第２連結体２の挿入方向に沿った挿入凹部７の軸線の方向である。
【００２４】
また、上記挿入凹部７の内壁には円周方向に等間隔を保って３つの螺旋状凸部８を設けている。この螺旋状凸部８は、どれも図５〜７に示す同じ形状で螺旋を構成し、三条ネジのネジ山のようになっている。なお、図５〜７は上記受け部材６の挿入凹部７を平面上に展開した模式図である。
各螺旋状凸部８は、図示のようにピーク部８ｂから挿入凹部７の底面７ａに向かって連続するガイド面８ａを備えている。このガイド面８ａと反対側であって、挿入凹部７の底面７ａと対向する部分には、挿入凹部７の軸線とほぼ直交する平面からなる抜け止め面８ｃを備え、この抜け止め面８ｃと上記底面７ａとが相まって構成される空間を抜け止め凹部７ｃとする。
【００２５】
上記各螺旋状凸部８は、各ガイド面８ａが隣接する螺旋状凸部８で構成される抜け止め凹部７ｃに向かって連続するように配置されている。
また、上記ガイド面８ａであって第２連結体の挿入方向後端である、図５中の上端のピーク部８ｂは、その断面形状を鋭角にしている。
【００２６】
一方、第２連結体２は、図３，４に示すように、半楕円回転体の殻部９内に円筒状の挿入部１０を備えている。この挿入部１０を、上記第１連結体１の挿入凹部７内に挿入することによって、両連結体１，２を連結する。
上記挿入部１０の内側には、円柱状の第２の永久磁石Ｍ２を設けている。この永久磁石Ｍ２は上記挿入部１０に接着や加締めなどによって固定しておく。
この第２の永久磁石Ｍ２と上記第１の永久磁石とはそれぞれ、軸方向に磁極を設けた磁石である。そして、図４に示すように、両連結体１，２の結合時に、両磁石Ｍ１，Ｍ２の対向面に異なる磁極が現れるように配置している。
【００２７】
また、上記挿入部１０の先端側の外周には、円周方向に均等に３つの凸部１１を設けている。この凸部１１は、この発明の抜け止め凸部を構成するものであり、図３〜７に示すように、その挿入方向先端１１ａを曲面とし、後端を平面からなる係止面１１ｂとする。この係止面１１ｂは、凸部１１が挿入凹部７の抜け止め凹部７ｃ内に位置したとき、上記抜け止め面８ｃと正対するように形成されている。
【００２８】
さらに、この凸部１１は、挿入部１０の軸方向、すなわち挿入方向の長さＬ１（図６参照）を、上記挿入凹部７内に形成された抜け止め凹部７ｃの長さＬ２とほぼ等しくしている。
なお、上記挿入部１０には３つの凸部１１が設けられているが、図６，７では、特定の凸部１１のみを示し、他の凸部１１は省略している。全ての凸部１１はいずれも、図示の凸部１１と同様の形状であり、同様に機能する。
【００２９】
上記のように構成した装身具用の止め具は、それを連結する際には、第１連結体１の挿入凹部７に第２連結体２の挿入部１０を挿入するが、上記挿入部１０が挿入凹部７に挿入されその先端が螺旋状凸部８に近づくと、図５に示すように、上記凸部１１とともに第２の磁石Ｍ２が挿入凹部７の底面７ａに設けられた第１の磁石Ｍ１に近づくので、両磁石Ｍ１，Ｍ２間に引力が作用する。
そのため、上記凸部１１の先端１１ａが上記ガイド面８ａに接触すると、上記凸部１１には上記引力に基づいてガイド面８ａに沿った分力が作用し、上記挿入部１０がスムーズに上記底面７ａへ導かれる。
【００３０】
上記凸部１１は、最初にガイド面８ａのどの位置に接触したとしても、ガイド面８ａの傾斜に沿って上記抜け止め凹部７ｃに向かって移動するが、この実施形態では、凸部１１の先端１１ａを曲面にしているため、ガイド面８ａ上をより滑らかに移動する。
このように、上記凸部１１は、図６に実線で示す凸部１１の位置から矢印方向へ移動してガイド面８ａに接触した後、ガイド面８ａに沿って移動し、最終的に隣接する螺旋状凸部８と底面７ａとで構成される抜け止め凹部７ｃ内に収まって連結状態となる。
【００３１】
そして、上記凸部１１が上記抜け止め凹部７ｃ内に収まると、上記凸部の後端側の係止面１１ｂが、螺旋状凸部８の抜け止め面８ｃと正対する。そのため、第１、第２連結体１、２を引き離す軸に沿った力が作用しても、上記係止面１１ｂが抜け止め面８ｃに当接して、抜け方向の移動を防止できる。
特に、上記抜け止め面８ｃ及び係止面１１ｂが正対する平面なので、両者が当接したときには互いの接触面積が大きく、回転方向のずれが発生しにくい。
【００３２】
なお、この実施形態では、上記凸部１１の挿入方向長さＬ１と上記抜け止め部７ｃの挿入方向長さＬ２とをほぼ等しくしているので、上記凸部１１が上記抜け止め凹部７ｃ内でガタつくことがない。そのため、両連結体１，２の連結状態をより確実に維持できる。
但し、上記長さＬ１とＬ２とに差があったとしても、平面からなる係止面１１ｂが抜け止め面８ｃに当接して、両連結体１，２の抜け防止機能を発揮する効果は得られる。
【００３３】
また、上記したように、螺旋状凸部８のピーク部８ｂは鋭角に尖っているため、上記抜け止め凸部１１が最初にこのピーク部８ｂに当接した場合には、凸部１１の先端１１ａがピーク部８ｂ上で滑って、図７に示すように左右いずれかに移動する。
凸部１１の先端１１ａがガイド面８ａに接触するとこのガイド面８ａに沿って移動し、破線や二点鎖線で示すように、抜け止め凹部７ｃ内に到達して連結状態となる。
【００３４】
上記のようにして連結した第１、第２連結体１，２を外す際には、図６，７において凸部１１が右方向へ移動するように第２連結体２を回転させれば、凸部１１は、ガイド面８ａに沿って、図６，７に示す矢印と反対方向に移動して螺旋状凸部８から外れる。
つまり、第１、第２連結体１，２を所定の方向に回転させるだけで、両連結体１，２は軸方向に移動して止め具を簡単に外すことができる。
【００３５】
上記実施形態では、螺旋状凸部８及び凸部１１の数をそれぞれ３としているが、これらの数は３に限らない。
但し、上記実施形態のように３にした場合には、挿入凹部内に３条ネジが形成されることになり、１条ネジあるいは２条ネジと比べて小さな回転量で軸方向の移動量を大きくできるメリットがある。そのため、僅かな回転で第１、第２連結体１，２を軸方向に移動させることができ、連結や取り外しが簡単にできる。
【００３６】
特に、装身具用の止め具の部品は小さいものが多いので、小さい第１、第２連結体１，２をつまんで、大きく回転させるのは難しいが、回転量が小さくて足りれば、連結や取り外し作業が容易になる。
また、必要な回転量を小さくするために螺旋状凸部８や凸部１１を４以上にすることも可能である。しかし、螺旋状凸部８及び上記凸部１１の数を多くすれば、挿入凹部７内や、挿入部１０の加工が複雑になるとともに、重量も大きくなってしまう。通常の装身具用の止め具としては螺旋状凸部の数は３個が適当である。
但し、止め具が大きい場合には、螺旋状凸部８及び凸部１１の数をさらに多くすることも可能である。
【００３７】
さらに、上記実施形態では、第１及び第２連結体１，２の両方に永久磁石Ｍ１，Ｍ２を設けているが、永久磁石は、第１、第２連結体１，２のいずれか一方のみに設け、他方には上記永久磁石の磁力が作用する磁性部材を設けるようにしてもよい。
【産業上の利用可能性】
【００３８】
この発明は、ネックレス、ブレスレット、時計などに適用できる。
【符号の説明】
【００３９】
１      第１連結体
２      第２連結体
７      挿入凹部
７ａ    底面
７ｃ    抜け止め凹部
８      螺円状凸部
８ａ    ガイド面
８ｂ    ピーク部
８ｃ    抜け止め面
１０    挿入部
１１    （抜け止め）凸部
１１ａ  先端
１１ｂ  係止面
Ｍ１    永久磁石
Ｍ２    永久磁石
【図１】
2014023565.tif 000003
【図２】
2014023565.tif 000004
【図３】
2014023565.tif 000005
【図４】
2014023565.tif 000006
【図５】
2014023565.tif 000007
【図６】
2014023565.tif 000008
【図７】
2014023565.tif 000009